(57)【要約】【課題】撤収した天然芝保護板に付着したシバ病原性ピシウム属菌を安全に除菌できる、天然芝保護板の殺菌方法の提供。【解決手段】天然芝を植設した競技場から撤収した天然芝保護板Ａを高圧水洗浄して木製パレット２へ積層し、これを金属製パレット５上に載置して水槽６０の近傍へ運搬し、これに吊金具６を取り付けた後に、吊金具６をクレーンで吊り上げて、６５℃の温湯を満たした水槽６０内に投入し、一旦取り出して再度投入し、温湯中で１８０秒間、浸漬し、温湯浸漬終了後に再びクレーンで吊り上げて地面に置き、吊金具６および金属製パレット５を取り外し、この木製パレット２を乾燥場に運び、木製パレット２上の天然芝保護板Ａを取り外して１枚づつ並べて乾燥させて殺菌する、天然芝保護板Ａの殺菌方法を用いれば、天然芝保護板Ａに付着したシバ病原性ピシウム属菌を全て死滅させることができる。【選択図】図６
2005137232.tif 000002
【特許請求の範囲】
【請求項１】
天然芝を植設した競技場から撤収した天然芝保護板の表面および裏面を高圧水洗浄する洗浄工程と、
洗浄が完了した前記天然芝保護板を、所定温度の温湯に入れて所定時間のあいだ浸漬する温湯浸漬工程と、
温湯浸漬が終了した前記天然芝保護板を乾燥させる乾燥工程とからなる天然芝保護板の殺菌方法。
【請求項２】
前記天然芝保護板は、プラスチック製の基本ユニットを所定枚数、連結したものであることを特徴とする請求項１に記載の天然芝保護板の殺菌方法。
【請求項３】
前記天然芝保護板を浸漬する温湯の温度は少なくとも６０℃、所定時間は少なくとも３分であることを特徴とする請求項１または請求項２に記載の天然芝保護板の殺菌方法。
【請求項４】
天然芝を植設した競技場から撤収した天然芝保護板の一端面を高圧水洗浄し、反転させて他端面を高圧水洗浄する洗浄工程と、
洗浄が完了した天然芝保護板を１枚づつ、所定枚数まで木製パレットへ積層していく積層工程と、
前記天然芝保護板を所定枚数積層した木製パレットを金属製パレット上に載置し、所定温度の温湯を満たした水槽の近傍まで運搬する運搬工程と、
この金属製パレットに吊金具を取り付け、吊り上げて水槽内に投入し、温湯中で所定時間、浸漬する温湯浸漬工程と、
温湯浸漬終了後に前記吊金具を吊り上げて前記金属製パレットを地面に置き、前記吊金具および前記金属製パレットを取り外す搬出分離工程と、
この木製パレットを乾燥場まで運搬し、前記木製パレットから前記天然芝保護板を取り外して、１枚づつ並べて乾燥させる乾燥工程とからなる天然芝保護板の殺菌方法。
【請求項５】
前記天然芝保護板は、プラスチック製の基本ユニットを所定枚数、連結したものであることを特徴とする請求項４に記載の天然芝保護板の殺菌方法。
【請求項６】
前記天然芝保護板を浸漬する温湯の温度は少なくとも６０℃、所定時間は少なくとも３分であり、
且つ、水槽内投入後に、少なくとも１回、前記金属製パレットを出し入れすることを特徴とする請求項４または請求項５に記載の天然芝保護板の殺菌方法。
【請求項７】
請求項４乃至請求項６の何れかに記載の天然芝保護板の殺菌方法で用いる吊金具であって、
二本の横架材間を複数の架橋材で連結した上枠部と、
上方から吊り下げるために、前記上枠部に取り付けられる吊下具と、
上端側を前記上枠部の前記横架材の端に回動自在に取り付けられ、垂下する下端側に、前記金属製パレットの差込口に差し込むための受部を形成した四本の可動柱材と、
可動柱材間を中央および下方で連結する中央連結材および下側連結材と、
各端を前記金属製パレットおよび前記横架材に着脱可能な流失防止棒とを備え、
温湯浸漬する際に、積層体上面と上枠部下面との隙間を所定の寸法に調整するための複数の木製箱馬を前記隙間に配することを特徴とする吊金具。
【発明の詳細な説明】
【技術分野】
【０００１】
本発明は、競技場の天然芝の上に多数枚敷設した天然芝保護板の殺菌方法に関する。
【背景技術】
【０００２】
非特許文献１に示す如く、コンサート等を行うために、競技場内の芝生部分に観客席を設ける場合には、観客が座る椅子を芝生に直接並べず、天然芝保護板を敷設してから椅子を並べて芝生を保護する技術が記載されている。
【非特許文献１】インターネット  ＜ＵＲＬ：http://www.hamaspo.com/stadium/essay/vol7.html＞  （平成１５年１０月１０日検索）
【発明の開示】
【発明が解決しようとする課題】
【０００３】
天然芝保護板を敷設した芝生や土壌に、シバ病原性ピシウム属菌（ベントグラス赤焼病菌やベントグラスピシウム病菌）が生息していると、撤収した天然芝保護板にシバ病原性ピシウム属菌が付着する。特に卵胞子の状態であると、長期の生存に耐える。
撤収した天然芝保護板を倉庫に長期間保管した場合でも、シバ病原性ピシウム属菌が生存していると、別の競技場に搬入して敷設した際に、そこの天然芝が、ベントグラス赤焼病やベントグラスピシウム病に感染してしまう。
【０００４】
本発明の第１の目的は、撤収した天然芝保護板に付着したシバ病原性ピシウム属菌を安全に除菌できる、天然芝保護板の殺菌方法の提供にある。
本発明の第２の目的は、その天然芝保護板の殺菌方法に適した吊金具の提供にある。
【課題を解決するための手段】
【０００５】
〔請求項１の手段）
天然芝保護板の殺菌方法は、天然芝を植設した競技場から撤収した天然芝保護板の表面および裏面を高圧水洗浄する洗浄工程と、洗浄が完了した前記天然芝保護板を、所定温度の温湯に入れて所定時間のあいだ浸漬する温湯浸漬工程と、温湯浸漬が終了した前記天然芝保護板を乾燥させる乾燥工程とからなる。
【０００６】
〔請求項２の手段〕
天然芝保護板の殺菌方法は請求項１の構成に加え、前記天然芝保護板が、プラスチック製の基本ユニットを所定枚数、連結したものであることを特徴とする。
【０００７】
〔請求項３の手段〕
天然芝保護板の殺菌方法は請求項１または請求項２の構成に加え、前記天然芝保護板を浸漬する温湯の温度は少なくとも６０℃、所定時間は少なくとも３分であることを特徴とする。
【０００８】
〔請求項４の手段〕
天然芝保護板の殺菌方法は、天然芝を植設した競技場から撤収した天然芝保護板の一端面を高圧水洗浄し、反転させて他端面を高圧水洗浄する洗浄工程と、洗浄が完了した天然芝保護板を１枚づつ、所定枚数まで木製パレットへ積層していく積層工程と、前記天然芝保護板を所定枚数積層した木製パレットを金属製パレット上に載置し、所定温度の温湯を満たした水槽の近傍まで運搬する運搬工程と、この金属製パレットに吊金具を取り付け、吊り上げて水槽内に投入し、温湯中で所定時間、浸漬する温湯浸漬工程と、温湯浸漬終了後に前記吊金具を吊り上げて前記金属製パレットを地面に置き、前記吊金具および前記金属製パレットを取り外す搬出分離工程と、この木製パレットを乾燥場まで運搬し、前記木製パレットから前記天然芝保護板を取り外して、１枚づつ並べて乾燥させる乾燥工程とからなる。
【０００９】
〔請求項５の手段〕
天然芝保護板の殺菌方法は請求項４の構成に加え、前記天然芝保護板が、プラスチック製の基本ユニットを所定枚数、連結したものであることを特徴とする。
【００１０】
〔請求項６の手段〕
天然芝保護板の殺菌方法は請求項４または請求項５の構成に加え、前記天然芝保護板を浸漬する温湯の温度は少なくとも６０℃、所定時間は少なくとも３分であり、且つ、水槽内投入後に、少なくとも１回、前記金属製パレットを出し入れすることを特徴とする。
【００１１】
〔請求項７の手段〕
請求項４乃至請求項６の何れかに記載の天然芝保護板の殺菌方法で用いる吊金具であって、二本の横架材間を複数の架橋材で連結した上枠部と、上方から吊り下げるために、前記上枠部に取り付けられる吊下具と、上端側を前記上枠部の前記横架材の端に回動自在に取り付けられ、垂下する下端側に、前記金属製パレットの差込口に差し込むための受部を形成した四本の可動柱材と、可動柱材間を中央および下方で連結する中央連結材および下側連結材と、各端を前記金属製パレットおよび前記横架材に着脱可能な流失防止棒とを備え、温湯浸漬する際に、積層体上面と上枠部下面との隙間を所定の寸法に調整するための複数の木製箱馬を前記隙間に配することを特徴とする。
【発明の効果】
【００１２】
〔請求項１の効果〕
洗浄工程で、天然芝を植設した競技場から撤収した天然芝保護板の表面および裏面を高圧水洗浄するので、天然芝保護板に付着した汚れが除去できる。
温湯浸漬する所定温度と所定時間とを、シバ病原性ピシウム属菌を死滅させるのに必要な値に設定すれば、温湯浸漬工程で、洗浄が完了した天然芝保護板を、所定温度の温湯に入れて所定時間のあいだ浸漬することにより、天然芝保護板に付着したシバ病原性ピシウム属菌を全て死滅させることができる。
【００１３】
乾燥工程において、温湯浸漬が終了して除菌できた天然芝保護板を乾燥させている。これにより、倉庫等へ天然芝保護板を保管するための運搬中に、シバ病原性ピシウム属菌や汚れが再付着することを防止できる。また、運搬作業者の手が水で滑らないので運搬中の天然芝保護板の落下が防止できる。
【００１４】
〔請求項２の効果〕
天然芝保護板は、プラスチック製の基本ユニットを所定枚数、連結したものである。
このため、何れかの基本ユニットが破損した場合でも、破損した基本ユニットのみ交換するだけで良い。
【００１５】
〔請求項３の効果〕
天然芝保護板を温湯で浸漬する温度は少なくとも６０℃、所定時間は少なくとも３分である。この条件で浸漬すれば、天然芝保護板に付着したシバ病原性ピシウム属菌（卵胞子も含む）を完全に死滅させることができる。
【００１６】
〔請求項４の効果〕
洗浄工程で、天然芝を植設した競技場から撤収した天然芝保護板の一端面を高圧水洗浄し、この天然芝保護板を反転させて他端面を高圧水洗浄するので、天然芝保護板に付着した汚れが除去できる。
【００１７】
天然芝保護板を木製パレットへ積層する構成であるので、天然芝保護板を痛めることなく、フォークリフトで容易に運搬できる。
天然芝保護板を積層した木製パレットを金属製パレット上に載置した後、この金属製パレットに吊金具を取り付けているので、木製パレットおよび天然芝保護板を、破損することなく吊り上げることができる。また、金属製パレットと吊金具とにより重量が増すので、温湯中に天然芝保護板を潜らせた状態で温湯浸漬を確実に行うことができる。
【００１８】
温湯浸漬する所定温度と所定時間とを、シバ病原性ピシウム属菌を死滅させるのに必要な値に設定すれば、温湯浸漬により、天然芝保護板に付着したシバ病原性ピシウム属菌を全て死滅させることができる。
なお、洗浄工程で天然芝保護板の汚れを除去しているので、温湯浸漬による温湯の汚れが少なく、温湯を入れ換えることなく、多数枚の天然芝保護板を温湯浸漬できる。
【００１９】
搬出分離工程で、吊金具を吊り上げて金属製パレットを地面に置き、吊金具および金属製パレットを取り外すことにより、後工程の乾燥工程を容易に行うことができる。
乾燥工程において、温湯浸漬が終了して除菌できた、木製パレット上の天然芝保護板を取り外して、１枚づつ並べて乾燥させている。
これにより、倉庫等へ天然芝保護板を保管するための運搬中に、シバ病原性ピシウム属菌や汚れが再付着することを防止できる。また、作業者の手が水で滑らないので運搬中の天然芝保護板の落下が防止できる。
【００２０】
〔請求項５の効果〕
天然芝保護板は、プラスチック製の基本ユニットを所定枚数、連結したものである。
このため、何れかの基本ユニットが破損した場合でも、破損した基本ユニットのみ交換するだけで良い。
【００２１】
〔請求項６の効果〕
天然芝保護板を温湯で浸漬する温度は少なくとも６０℃、浸漬する所定時間は少なくとも３分（出し入れ時間は含めない）であり、且つ、水槽内投入後に、少なくとも１回、金属製パレットを出し入れする。
水槽内投入後に、少なくとも１回、金属製パレットを出し入れする理由は、各天然芝保護板間に６０℃以上の温湯を確実に浸入させるためである。この条件で温湯浸漬すれば、天然芝保護板に付着したシバ病原性ピシウム属菌（卵胞子も含む）を完全に死滅させることができる。
【００２２】
〔請求項７の効果〕
吊金具により、運搬工程、温湯浸漬工程、搬出分離工程において、吊下具をクレーン等で吊り上げた状態で、複数の天然芝保護板を積層した木製パレットを載置した金属製パレットの差込口に、吊金具（流失防止棒は装着）の四本の可動柱材の受部を差し込んで移動させることができる。
【００２３】
複数の天然芝保護板を積層した木製パレットを載置した金属製パレットを吊金具で吊り上げて温湯浸漬する際に、積層体上面と上枠部下面との隙間を所定の寸法に調整するための複数の木製箱馬を隙間に配している。
このため、金属製パレットの水槽内への投入、搬出、出し入れ時において、過剰な上下動の防止が図れる。また、温湯浸漬中に天然芝保護板が適度に上下動するので、各天然芝保護板間に６０℃以上の温湯を確実に浸入させることができる。
流失防止棒により、金属製パレットの水槽内への投入、搬出、出し入れ時において、天然芝保護板の抜けを阻止でき、落下や流失が防止できる。
【発明を実施するための最良の形態】
【００２４】
天然芝を植設した競技場から撤収した天然芝保護板の一端面を高圧水洗浄し、反転させて他端面を高圧水洗浄し、この洗浄が完了した天然芝保護板を１枚づつ、木製パレットへ積層（２０枚）し、この天然芝保護板を積層した木製パレットを金属製パレット上に載置して水槽近傍へ運搬し、金属製パレットに吊金具を取り付けた後に、吊金具をクレーンで吊り上げて、６５℃の温湯を満たした水槽内に投入し、一旦取り出して再度投入し、温湯中で１８０秒間、浸漬し、温湯浸漬終了後に吊金具を再びクレーンで吊り上げて金属製パレットを地面に置き、吊金具および金属製パレットを取り外し、この木製パレットを乾燥場に運び、木製パレット上の天然芝保護板を順に取り外して１枚づつ並べて乾燥させて殺菌する。
これにより、人畜に有害で、環境に負担がかかる殺菌剤や消毒剤を使用することなく、天然芝保護板に付着したシバ病原性ピシウム属菌を全て死滅させることができる。
【実施例１】
【００２５】
本発明の実施例１に係る天然芝保護板Ａの殺菌方法（請求項１〜７に対応）を、図１〜図９に基づいて説明する。
【００２６】
空気の通気性、太陽光の透過性、および水の浸水性に優れる天然芝保護板Ａは、後述する基本ユニット１を四枚、八個のカムロックで着脱可能に連結したものであり、４ｍ2 の面積を占める。
高密度ポリエチレンで形成される基本ユニット１は、サイズが１００ｃｍ×１００ｃｍ×６．４ｃｍであり、重量が１１ｋｇである。この基本ユニット１は、裏面側に格子状のスペースを確保するとともに、１７個設けた円形の脚で荷重を分散させる構造になっている。また、凹凸面を形成した表面側には、滑り止めのコーティングが施されている。更に、カムロックを嵌め込むための連通孔が側面に形成されている。
【００２７】
天然芝保護板Ａは、以下の方法で殺菌を行う。
（１）コンサート等のイベントが終了すると、競技場内の芝生に敷設した多数の天然芝保護板Ａに並べた観客席を撤去した後に、天然芝保護板Ａを人力で撤収して木製パレット２に２０枚づつ積層し、この保護板積層体２０をトラックの荷台に積み込み、イベント設営業者の作業場へ運搬し、荷台から一時置場へ保護板積層体２０を降ろす。
【００２８】
（２）フォーク差口２１にフォーク３１を差し込んで、一時置場に載置された保護板積層体２０を洗浄場所３０へ、フォークリフト３で運搬する（図１参照）。なお、図１は、フォークリフト３で保護板積層体２０を洗浄場所３０へ運搬し終えたところである。
【００２９】
（３）洗浄工程に相当
図２に示す様に、高圧水製造装置４を用い、洗浄用櫓４１の上から洗浄作業員４２が、保護板積層体２０の最上部に配されている天然芝保護板Ａの表面に高圧水４０を噴射し、表面に付着した泥や汚れを落とす。つぎに、その天然芝保護板Ａを裏返しにして、裏面に高圧水４０を噴射し、裏面に付着した泥や汚れを落とす。
【００３０】
（４）積層工程に相当
表面および裏面の洗浄が完了した天然芝保護板Ａを、洗浄場所３０の近傍に置いてある洗浄済の木製パレット２の上へ、四人の作業者で積層する（図２参照）。なお、木製パレット２に積層する洗浄完了済の天然芝保護板Ａの枚数は２０枚である。
【００３１】
（５）運搬工程に相当
洗浄完了済の保護板積層体２０を載置した木製パレット２をフォークリフト３で持ち上げ、洗浄場所３０の近傍に置いてある金属製パレット５上に積載し、この金属製パレット５を、６５℃の温湯ｕを満たした、殺菌用の水槽６０の近傍まで、フォークリフト３で運搬する。
【００３２】
なお、６５℃の温湯ｕは、図８に示すボイラ装置７により製造する。
図８において、７１は塩タンク７２を付設した軟水器、７３はドレン７４を回収するドレンタンク、７５はＡ重油タンク７６を付設したボイラである。
ボイラ７５内で発生した蒸気７０は、複数の制御弁を介設した蒸気配管７７を介して熱交換器７８を通過して水槽６０内の湯水を加熱して液化してドレン７４となり、ドレンタンク７３に至る。
【００３３】
（６）温湯浸漬工程に相当
洗浄完了済の保護板積層体２０を載置した木製パレット２を積載した金属製パレット５に吊金具６を取り付けた後に、吊金具６を２５ｔクレーン（図示せず）で水槽６０の上方へ吊り上げる。
吊金具６は、図３に示す如く、二本の横架材６１間を三本の架橋材６１ａで連結した上枠部６２と、上方からクレーンで吊り下げるために、上枠部６２に取り付けられる吊下具６３と、上端側を上枠部６２の横架材６１、６１の各端に回動自在に取り付けられ、垂下する下端側に、金属製パレット５の差込口５１に差し込むための受部６４ａ（ゴム製）を形成した四本の可動柱材６４と、可動柱材６４間を中央および下方で連結する中央連結材６４ｂおよび下側連結材６４ｃとを備える。
【００３４】
この金属製パレット５を把持した吊金具６をクレーンで吊り上げる際には、図４に示す様に、この金属製パレット５および横架材６１の棒状部５２、６１ｂ（ストッパ付）へ、棒端のリング部６５ａを嵌め込んで流失防止棒６５を取り付ける。そして、図６および図７に示す様に、水槽６０内で温湯浸漬を行う前に、保護板積層体２０の上面と上枠部６２の下面との隙間に四個の木製箱馬６６を配し、隙間を５ｃｍ〜６ｃｍの所定の寸法に調整する。
【００３５】
吊金具６ごと、水槽６０の温湯ｕ内に完全に隠れる深さまで保護板積層体２０を沈めた後に、一旦、温湯ｕから引き上げ、再び、温湯ｕに完全に隠れる深さに保護板積層体２０を沈める。これは、天然芝保護板Ａ間に隙間を空けて、全ての天然芝保護板Ａの端面を６５℃の温湯ｕに晒すためである。
水槽６０の温湯ｕに保護板積層体２０が完全に隠れた時点（２回目）から３分間、温湯浸漬を継続する。
【００３６】
（７）搬出分離工程に相当
一連の温湯浸漬が終了すると、吊金具６をクレーンで吊り上げて金属製パレット５を地面に置き、流失防止棒６５を取り外すとともに、吊金具６の可動柱材６４の受部６４ａを金属製パレット５の差込口５１から外す。
その後、フォーク差口２１にフォーク３１を差し込んで、温湯浸漬が終了した保護板積層体２０を載せた木製パレット２を金属製パレット５から下ろす。なお、金属製パレット５は、洗浄場所３０の近傍へ戻す。
【００３７】
（８）乾燥工程に相当
温湯浸漬が終了した保護板積層体２０を載せた木製パレット２を乾燥場８までフォークリフト３で運搬し、木製パレット２から天然芝保護板Ａを、上から順に下ろし、図９に示す様に、基本ユニット１を四枚連結した状態で並べて乾燥させる。なお、反転させて下面も乾燥させる。
【００３８】
本実施例の天然芝保護板Ａの殺菌方法は、以下に示す利点を有する。
〔ア〕競技場内の芝生から回収した天然芝保護板Ａにシバ病原性ピシウム属菌が付着していても、６０℃以上の温湯ｕで、３分以上、保護板積層体２０を温湯浸漬しているので、薬品を使用することなく、シバ病原性ピシウム属菌（卵胞子も含む）を完全に死滅させることができる。
【００３９】
なお、薬品を全く使用しないので、殺菌処理した天然芝保護板Ａを水等で再洗浄する薬品除去作業は不要である。また、温湯廃液の無害化処理も不要である。
温湯浸漬後の天然芝保護板Ａに薬品が全く付着しないので、作業員や観客が薬品で健康を損うこともない。
なお、天然芝保護板Ａの劣化防止、Ａ重油の消費量、および殺菌力から鑑み、温湯ｕの温度は６０℃〜７０℃の範囲、引き上げ回数は１回〜２回、温湯浸漬の継続時間は３分〜５分の範囲が好適である。
【００４０】
〔イ〕水槽６０内で温湯浸漬を行う前に、保護板積層体２０の上面と上枠部６２の下面との隙間を四個の木製箱馬６６により５ｃｍ〜６ｃｍに調整し、吊金具６ごと、水槽６０の温湯ｕ内に完全に隠れる深さまで保護板積層体２０を沈めた後に、一旦、温湯ｕから引き上げ、再び、温湯ｕに完全に隠れる深さに保護板積層体２０を沈めて温湯浸漬を行っている。
【００４１】
このため、保護板積層体２０を載せた木製パレット２を載置した金属製パレット５の水槽内への投入、搬出、出し入れ時において、天然芝保護板Ａの過剰な上下動の防止が図れる。また、温湯浸漬中に天然芝保護板Ａが適度に上下動するので、全ての天然芝保護板Ａの端面を６５℃の温湯ｕに晒すことができ、シバ病原性ピシウム属菌を完全に死滅させることができる。
なお、流失防止棒６５により、金属製パレット５の水槽６０内への投入、搬出、出し入れ時において、天然芝保護板Ａの抜けを阻止でき、落下や流失が防止できる。
【００４２】
〔ウ〕競技場内の芝生から回収した天然芝保護板Ａの表裏を、上記（３）で高圧水４０の噴射により洗浄して、表面に付着した泥や汚れを落としているので、後に行う上記（６）において水槽６０の温湯ｕが汚れ難い。
このため、水槽６０内の温湯ｕを、濾過や給排水を行うことなく、大量の天然芝保護板Ａを温湯浸漬することができ、比較的少量のＡ重油（１００リットル）で、作業期間の間、温湯ｕの入替無しで温湯浸漬を行うことができる。なお、芝の浮遊物は、適宜、網で掬って除去する。
【００４３】
〔エ〕天然芝保護板Ａを木製パレット２へ積層する構成であるので、一度に多数枚（２０枚）の天然芝保護板Ａを容易にフォークリフト３で取り扱う（運搬や金属製パレット５への載置）ことができる。なお、フォーク３１が直接、天然芝保護板Ａを支持しないので、天然芝保護板Ａの破損や損傷が防止できる。
【００４４】
〔オ〕天然芝保護板Ａを積層した木製パレット２を金属製パレット５上に載置しているので、吊金具６を取り付けて、破損することなくクレーンで吊り上げることができる。また、金属製パレット５と吊金具６とにより重量が増すので、温湯ｕ中に天然芝保護板Ａを潜らせた状態にして温湯浸漬を確実に行うことができる。
したがって、吊金具６は、保護板積層体２０を載せた木製パレット２を載置した金属製パレット５の、クレーンを使った、吊り上げ、水槽６０内での温湯浸漬、水槽６０からの搬出に適している。
【００４５】
〔カ〕温湯浸漬を終えて殺菌した、木製パレット２上の天然芝保護板Ａを下ろし、基本ユニット１を四枚連結した状態で、並べて乾燥させている。
これにより、天然芝保護板Ａを保管する倉庫等への運搬中に、汚れや、シバ病原性ピシウム属菌が再付着することを防止できる。
また、倉庫等の保管場所で、天然芝保護板Ａに黴が発生するのを防止できる。
更に、倉庫等へ天然芝保護板Ａを運搬する際に、作業者の手が水で滑らないので、天然芝保護板Ａの落下が防止できる。
【００４６】
〔キ〕天然芝保護板Ａは、高密度ポリエチレン製の基本ユニット１を四枚、連結したものである。
このため、何れかの基本ユニット１が破損した場合でも、破損した基本ユニット１のみ交換するだけで良い。
【産業上の利用可能性】
【００４７】
芝生や土壌にシバ病原性ピシウム属菌が生息している競技場に天然芝保護板を敷設した場合には、撤収した天然芝保護板にシバ病原性ピシウム属菌が付着する。
この天然芝保護板を別の競技場に搬入して敷設すると、そこの天然芝が、ベントグラス赤焼病やベントグラスピシウム病に感染してしまう。
しかし、本発明の天然芝保護板の殺菌方法を用いて、撤収した天然芝保護板を殺菌すれば、その天然芝保護板に付着したシバ病原性ピシウム属菌を死滅させることができ、感染を防止することができる。
【図面の簡単な説明】
【００４８】
【図１】本発明の実施例１に係る天然芝保護板の殺菌方法において、芝生に敷設した競技場から撤収した天然芝保護板を洗浄場所へフォークリフトで運搬し終えたところを示す説明図である。
【図２】その天然芝保護板を洗浄作業員が洗浄するところを示す説明図である。
【図３】吊金具の斜視図である。
【図４】保護板積層体を載せた木製パレットを載置した金属製パレットに吊金具を取り付けたところを示す斜視図である。
【図５】流失防止棒の要部を示す斜視図である。
【図６】吊金具を取り付けた金属製パレットを水槽内に投入するところを示す斜視図である。
【図７】木製箱馬を吊金具に設置した状態を示す説明図である。
【図８】温湯を製造するボイラ装置の構成図である。
【図９】温湯浸漬が終了した天然芝保護板を乾燥させている状態を示す説明図である。
【符号の説明】
【００４９】
Ａ  天然芝保護板
１  基本ユニット
２  木製パレット
５  金属製パレット
６  吊金具
８  乾燥場
５１  差込口
６１  横架材
６１ａ  架橋材
６２  上枠部
６３  吊下具
６４ａ  受部
６４  可動柱材
６４ｂ  中央連結材
６４ｃ  下側連結材
６５  流失防止棒
６６  木製箱馬
【図１】
2005137232.tif 000003
【図２】
2005137232.tif 000004
【図３】
2005137232.tif 000005
【図４】
2005137232.tif 000006
【図５】
2005137232.tif 000007
【図６】
2005137232.tif 000008
【図７】
2005137232.tif 000009
【図８】
2005137232.tif 000010
【図９】
2005137232.tif 000011